(57)【要約】【課題】  基板上への各画素毎に正確な発光層を蒸着して高品質の有機ＥＬ表示装置等の自発光表示装置を得る。【解決手段】  発光部開孔ＬＡＲの径（開口の大きさ）を画面の中央部から外周部にかけて変化させ、発光部開孔ＬＡＲに蒸着する有機ＥＬ材料の蒸着領域ＶＡＲとの位置ずれを抑制する。発光部開孔径ＬＡＲは、画面中央部が大きく、画面周辺部が小さいことが好ましい。【選択図】        図１
2005302388.tif 000002
【特許請求の範囲】
【請求項１】
第１方向及び該第１方向に交差する第２方向に沿って二次元的に配置された複数の画素からなる表示画面を備え、
前記複数の画素のＮ個（Ｎは３以上の整数）を前記第１方向沿いに並べて形成される画素列について、該画素列の１番目及びＮ番目の画素に夫々設けられた発光領域の前記第１方向に沿う幅が、Ｍ番目（Ｍは整数で、１＜Ｍ＜Ｎを満たす）の画素に設けられた発光領域の前記第１方向に沿う幅より狭いことを特徴とする自発光表示装置。
【請求項２】
前記整数Ｍは、前記整数Ｎの１／２又はこれを切り上げた値であることを特徴とする請求項１に記載の自発光表示装置。
【請求項３】
前記複数の画素のｎ個を前記第２方向沿いに並べて形成された画素行を有し、該画素行の１番目及びｎ番目の画素の発光領域の前記第２方向に沿う幅はｍ番目（ｍは整数で、１＜ｍ＜ｎ）の画素の幅より狭いことを特徴とする請求項１に記載の自発光表示装置。
【発明の詳細な説明】
【技術分野】
【０００１】
本発明は、平板型の表示装置に係り、特に電流供給線と画素の位置合わせ精度を向上させると共に、該電流供給線の配線距離の増大による信号電圧の降下を抑制して高品質の表示を得るようにした表示装置に関し、自発光表示装置に好適なものである。
【背景技術】
【０００２】
平板型の自発光表示装置として、プラズマ表示装置（ＰＤＰ）、電界放出型表示装置（ＦＥＤ）、有機エレクトロルミネッセンス表示装置（有機ＥＬ表示装置、ＯＬＥＤとも称する）などが実用化ないしは実用化研究段階にある。これらの中でも、有機ＥＬ表示装置は、薄型・軽量の自発光型表示装置の典型としてこれからの表示装置として極めて有望な表示装置である。有機ＥＬ表示装置には、所謂ボトムエミッション型とトップエミッション型とがある。
【０００３】
ボトムエミッション型の有機ＥＬ表示装置は、ガラス基板を好適とする絶縁基板上に、第１の方向に延びる第１の電極（一方の電極）としての透明電極（ＩＴＯ等）、電界の印加で発光する有機多層膜（有機発光層とも言う）、第２の方向に延びる第２の電極（他方の電極）としての反射性の金属電極を順次積層した発光機構で有機ＥＬ素子が構成される。この有機ＥＬ素子をマトリクス状に多数配列し、それらの積層構造を覆って封止缶と称する他の基板を設け、上記発光構造を外部の雰囲気から遮断している。そして、例えば透明電極を陽極とし、金属電極を陰極として両者の間に電界を印加することで有機多層膜にキャリア（電子と正孔）が注入され、該有機多層膜が発光する。この発光をガラス基板側から外部に出射する構成となっている。
【０００４】
一方、トップエミッション型の有機ＥＬ表示装置は、上記した一方の電極を反射性を有する金属電極とし、他方の電極をＩＴＯ等の透明電極とし、両者の間に電界を印加することで有機多層膜が発光し、この発光を上記他方の電極側から出射する構成を特徴とする。トップエミッション型では、ボトムエミッション型における封止缶として、ガラス板を好適とする透明板が使用される。
【０００５】
また、ＰＤＰやＦＥＤは、第１ガラス基板上に形成した第１の方向に延びる第１の電極の上に放電セル又は電子源を備え、第２ガラス基板上設けた蛍光体層で構成される発光機構をマトリクス状に多数配列した表示装置である。
【０００６】
なお、関連する先行技術を開示したものとして、特許文献１、特許文献２を挙げることができる。特許文献１には、金属板に多数の開孔を有するカラー受像管用シャドウマスクが記載されている。また、特許文献２には、走査電極の幅をパネル中央部と周辺部とで異ならせたＰＤＰが記載されている。
【特許文献１】特開２００１−１６０３６２号公報
【特許文献２】特開平７−２８８０８７号公報
【発明の開示】
【発明が解決しようとする課題】
【０００７】
上記した自発光表示装置は、該第１の電極の上に有機発光層、あるいは放電セル、電子源などの発光機構を形成するが、この発光機構を第１の電極の上に精度よく位置合わせして設ける必要がある。これについて、有機ＥＬ表示装置を例として以下に説明する。
【０００８】
有機ＥＬ表示装置の発光層の形成には種々の方法が用いられるが、画素に対応する多数の開口を有する薄板の蒸着マスクを用いて基板（一般的にはガラス基板）上に形成するものがある。発光層を蒸着で形成する場合には、この蒸着マスクを用いる発光層の形成には以下に列挙するような事情に基づく解決すべき課題がある。
（１）テンションをかけてフレームに固定して使用する。
（２）そして、発光層の蒸着プロセスでは蒸着源により常時加熱されている。
（３）また、蒸着源によって加熱される一方、蒸着する基板を交換する毎に、交換した      低温の基板によって冷却（接触急冷）される。
（４）蒸着マスクと基板はアライメント機構により位置合わせを行う。
その結果、形成された発光層の位置ずれは、Ｘ（面内の一方向），Ｙ（面内のＸ方向と直交する他方向），θ（面内回転方向）の３方位となる。蒸着マスクの設計上、Ｘ，Ｙ方向の蒸着位置のずれに対しては補正設計あるいは裕度設計が可能であるが、θ方向の裕度設計はＸ，Ｙ方向の補正に比較して技術的難度が高い。
【０００９】
本発明の目的は、上記の課題を解決して、基板上への各画素毎に正確な発光層を蒸着して高品質の有機ＥＬ表示装置等の自発光表示装置を得ることにある。
【課題を解決するための手段】
【００１０】
上記目的を達成するために、本発明による自発光表示装置は下記の如く構成される。その特徴を自発光表示装置の一つである有機ＥＬ表示装置を例に記すと、
（１）その発光部の開孔径（開口の大きさ）を画面の中央部から外周部にかけて変化させる。
（２）上記の発光部の開孔径は、画面の中央部（画面周縁部から離れた領域）で大きく、画面の周縁部で小さくすることが好ましい。
但し、上記画面の中央部及び周辺部に形成された開口（発光部）の夫々に向けて蒸着される材料（有機ＥＬ表示装置の場合は有機材料）の膜の面積は、夫々の膜に対応する開口の面積（大きさ）に比例する必要は無く、画面全域に亘り一様であってもよい。換言すれば、夫々の開口に形成（蒸着）された材料膜が当該開口の縁（輪郭）からはみ出す面積は、画面周縁部に設けられた開口に比べて、これよりも当該周縁部から離れた領域に設けられた開口にて小さくなる。有機ＥＬ表示装置では、開口に形成された材料膜（発光部となる有機材料膜も含む）を挟む一対の電極を当該材料膜で電気的に分離する観点で、当該材料膜の面積をこれが形成される開口の面積より大きくすることが望ましい。電界放射型表示装置の製造工程において、電界放射材料を基材の開口に蒸着する場合は、この材料膜の面積を開口より小さくしてもよい。本発明の典型的な構成は、以下のとおり記述される。
【００１１】
(a)第１方向及び該第１方向に交差する第２方向に沿って二次元的に配置された複数の画素からなる表示画面を備え、
前記複数の画素のＮ個（Ｎは３以上の整数）を前記第１方向沿いに並べて形成される画素列について、該画素列の１番目及びＮ番目の画素に夫々設けられた発光領域の前記第１方向に沿う幅が、Ｍ番目（Ｍは整数で、１＜Ｍ＜Ｎを満たす）の画素に設けられた発光領域の前記第１方向に沿う幅より狭くした。
【００１２】
(b)前記整数Ｍは、前記整数Ｎの１／２又はこれを切り上げた値とする。
【００１３】
(c)前記複数の画素のｎ個を前記第２方向沿いに並べて形成された画素行を有し、該画素行の１番目及びｎ番目の画素の発光領域の前記第２方向に沿う幅はｍ番目（ｍは整数で、１＜ｍ＜ｎ）の画素の幅より狭くする。
【発明の効果】
【００１４】
この場合の発光部開孔径の設計指標は、最大の発光部開孔径を１００％とした場合に最小の発光部開孔径を５０％以上として表示輝度均一性を確保する。この場合、有機ＥＬ表示装置の信号線幅にグレーディング（画面周辺部の信号線幅を画面中央部の信号線幅に対して太く設計する）を設けることにより、動作特性、並びに表示品質を改善することができる。
【００１５】
この設計法を用いることにより、（１）低分子の有機ＥＬ発光材料を用いた表示装置の大画面化（例えば、公称１７インチ以上の大型サイズ化）が可能となる。（２）発光層の蒸着におけるθ方向位置ずれ対策が可能となることから、有機ＥＬ表示装置の発光層の蒸着プロセスにおける製造裕度が向上し、歩留まりも向上する。（３）有機ＥＬ表示装置の大型化が容易となる。（４）信号線幅のグレーディングによる信号電圧降下が抑制され、有機ＥＬ表示装置の動作特性／表示品質が向上する。（５）さらに、発光層の蒸着制度が向上することにより、高精細化、画面の外周部から中央部にかけての信号電圧降下が低減されたことにより、表示輝度の面内均一化が達成される。
【００１６】
なお、上記した低分子の発光材料を用いた有機ＥＬ表示装置に限らず、高分子の発光材料を用いた有機ＥＬ表示装置、その他の自発光表示装置、例えば、ＰＤＰやＦＥＤの電子源を設ける電極と蛍光体の形成にも同様に適用できる。自発光表示装置の場合、大型画面サイズ化に伴う製造裕度は、発光部の開孔設計が支配的要因となる。本発明による開孔径の設計手法は、製造裕度を拡張するためのものであり、平板型表示装置全般の製造裕度を拡張することが可能である。
【００１７】
さらに、平板型の表示装置自体は大気とは遮断された密閉構造であるため、この表示装置を駆動するための信号線は画面の周辺部（平板型の表示装置の外形輪郭部）より入力される。したがって、平板型の表示装置の大型化に伴い、信号線は長くなり、信号電圧の低下は余儀なくされる。一方、本発明によれば、信号線幅のグレーディングにより信号電圧降下を抑制することが可能となる。
【発明を実施するための最良の形態】
【００１８】
以下、本発明の実施の形態につき、図面を参照して詳細に説明する。以下では、低分子の発光材料を用いる有機ＥＬ表示装置について説明する。
発光層の蒸着位置ずれは、基本的にはガラス基板と蒸着用マスクの位置がガラス基板や蒸着用マスクの熱膨張、あるいは蒸着用マスクに対するガラス基板のアライメント誤差により生じる。
【００１９】
図１は、有機ＥＬのガラス基板に有する発光部（画素）の開口と有機ＥＬの発光材料の蒸着領域との位置関係を説明する図である。図１中、ＬＡＲは発光部開口、ＶＡＲは蒸着領域であり、Ｘ−Ｘ’はガラス基板の面内における第１の方向、Ｙ−Ｙ’は同じく第２の方向を示す。そして、Ｘ方向の位置ずれをＥｒ−Ｘ、Ｙ方向の位置ずれをＥｒ−Ｙで示す。有機ＥＬ発光材料の蒸着プロセスを考えた場合、蒸着位置ずれは以下に説明する四種に分類できる。
【００２０】
図２は、ガラス基板と蒸着マスクとが正しく位置づけられた状態を示す平面図である。ガラスＳＵＢは蒸着マスクＭＳＫに対して予め定められた位置関係で固定され、この状態で有機ＥＬの発光材料の蒸着プロセスが実行される。図示しない蒸着源から蒸発した有機ＥＬ発光材料は、蒸着マスクに有する開孔を通してガラス基板ＳＵＢに形成されている発光部開口ＬＡＲに対して定められた蒸着領域ＶＡＲに蒸着される。
【００２１】
図３は、ガラス基板と蒸着マスクとの位置がＸ方向にずれた状態を示す平面図、図４は、ガラス基板と蒸着マスクとの位置がＹ方向にずれた状態を示す平面図、図５は、ガラス基板と蒸着マスクとの位置がＸ方向とＹ方向とにずれた状態を示す平面図、図６は、ガラス基板と蒸着マスクとの位置がθ方向にずれた状態を示す平面図である。実際に観測される位置ずれは、図５と図６を合成したものが主である。
【００２２】
図７は、ガラス基板と蒸着マスクとの実際の位置ずれをより詳しく説明するための平面図である。前記した図３乃至図５に示す位置ずれはガラス基板の任意の点において基本的に等しい。しかし、図６に示すθ方向のずれは、ガラス基板の中央からの距離が離れるほど蒸着ずれ量が大きくなる。図７において、Ａ点がガラス基板中心、Ｂ点がＹ軸端部、Ｃ点がＸ軸端部、Ｄ点が対角軸端部を示す。
【００２３】
この図７において、
（１）ガラス基板中央からの距離の関係
Ａ≦Ｂ≦Ｃ≦  Ｄ・・・・・（式１）
（２）蒸着ずれ量の関係
Ａ≦Ｂ≦Ｃ≦  Ｄ・・・・・（式２）
上記（式１）と（式２）の関係は等しくなる。
【００２４】
したがって蒸着マージンは（式２）に示す関係のとおりに確保しなければならない。そのため、本発明では、蒸着マスクの開孔径を画面の中央を最大にして画面中央から遠ざかるほど面積を縮小することを第１の特徴とする一方、それによって開孔間隔の広くなった画面周辺部において有機ＥＬの画素駆動用の電源線の太さを太くすることを第２の特徴とする。
【００２５】
図８は、有機ＥＬ表示装置における発光部（画素）と駆動用電源線の設計例を説明する模式平面図である。図８において、発光部開口ＬＡＲのＸ方向の相互間にはＹ方向に延在する駆動用電源線ＣＬが２本づつ形成されている。発光部開口ＬＡＲのサイズは、Ｘ方向がａＸ、Ｙ方向がａＹである。また、Ｘ方向に隣接する発光部開口ＬＡＲの中心をＹ方向にとおる中心線ｙ１−ｙ１’、線ｙ２−ｙ２’の間の距離をｐＸ、各駆動用電源線ＣＬの幅をｗＸとしたとき、図７に示した各点Ａ、Ｂ、Ｃ、Ｄについて、公称２１インチサイズの有機ＥＬ表示装置の設計例を表１に示す。
【表１】
2005302388.tif 000003
【実施例１】
【００２６】
図９は、本発明の実施例１を説明する発光部開口の模式平面図である。ここでは、画面中央部のＹ−Ｙ’方向の発光部開口の三列のみを示す。発光部開口ＬＡＲは画面の中央部で最大面積を有し、Ｙ−Ｙ’方向に遠ざかるにしたがって、Ｘ方向の幅が漸次狭くなるようなグレーディングを有している。また、図１０は、本発明の実施例１を説明する信号線の模式平面図である。ここでは、画面中央部のＹ−Ｙ’方向の一本の信号線（駆動用電源線）ＣＬのみを示す。
【００２７】
図１０に示したように、ガラス基板ＳＵＢ上に形成される駆動用電源線ＣＬの幅は、その中央部が狭く、Ｙ−Ｙ’方向に遠ざかるにしたがって、Ｘ方向の幅が漸次広く形成されている。
【００２８】
開孔径にグレーディングを有しない従来の有機ＥＬ表示装置の歩留まりが６０％以下であったが、本実施例に示された開孔径にグレーディングを施したものによれば、１００％近い歩留まりを実現できた。さらに、駆動用電源線の変幅設計により、電圧降下を従来の配線幅７μｍ均一の際に８Ｖ以上であったため、駆動が困難であった有機ＥＬ表示装置において、電圧降下を１．５Ｖ未満に抑制することが可能となった。
【００２９】
装置の結果、公称２１インチの有機ＥＬ表示装置は、従来の駆動回路設計によっても問題なく駆動可能となった。また、本発明の他の実施例として、発光部開口ＬＡＲのピッチ（画素ピッチ）を画面の中央部から周辺部にかけて漸次変化させていく‘バリアブルピッチ’とし、開孔径を固定または変化させるように構成しても同様の効果を得ることができる。
【００３０】
図１１は、本発明による有機ＥＬ表示装置の１つの有機ＥＬ素子すなわち１画素付近の構成例を説明する断面図である。図１１に示した有機ＥＬ表示装置はボトムエミッションのアクティブ・マトリクス型である。ガラス基板ＳＵＢ１の主面に薄膜トランジスタＴＦＴを有する。この薄膜トランジスタＴＦＴで駆動される一方の電極である陽極ＡＤと、他方の電極である陰極ＣＤの間に発光層ＯＬＥを挟んで発光部を構成している。なお、薄膜トランジスタＴＦＴは、ポリシリコン半導体層ＰＳＩ、ゲート絶縁層ＩＳＩ、ゲート線（ゲート電極）ＧＬ、ソース・ドレイン電極ＳＤ、層間絶縁層ＩＳ２、ＩＳ３で構成される。
【００３１】
画素電極である陽極ＡＤは、パッシベーション層ＰＳＶの上層に形成された透明導電層（ＩＴＯ等）で構成され、パッシベーション層ＰＳＶと層間絶縁層ＩＳ３に開けたコンタクトホールで薄膜トランジスタＴＦＴのソース・ドレイン電極ＳＤに電気的に接続されている。パッシベーション層ＰＳＶの上には絶縁膜BNKが形成され、陽極ＡＤの上面端部をも覆う。絶縁膜BNKは、その原料をパッシベーション層ＰＳＶ上に塗布し、又は蒸着して形成され、陽極ＡＤの上面（望ましくはその周縁を除く領域）を露出する開口が設けられる。この開口には、有機材料が蒸着されて、陽極ＡＤの上面に発光層ＯＬＥが形成される。発光層ＯＬＥは、陽極ＡＤの上面から絶縁膜BNKの上面に向けて立ち上る絶縁膜BNKの開口の斜面上にも延びる。画面内に配置される複数の画素の各々に対応させて上述の如く絶縁膜BNKに開口を形成し、更に夫々の開口に発光層ＯＬＥを形成した後、この絶縁膜BNK及び夫々の開口（画素に対応した複数の開口）に形成された発光層（複数の発光層）ＯＬＥを陰極CDで覆う。陰極CDは、複数の画素に形成された発光層ＯＬＥの言わば共通電極となる。以上の工程により、画面に配置された複数の画素の各々に有機ＥＬ素子が形成される。
【００３２】
上述の絶縁膜BNKは、これに形成された複数の開口により画面内に配置される複数の有機ＥＬ素子の発光層ＯＬＥを分離する。絶縁膜BNKは、隣り合う発光層ＯＬＥを仕切る「堤」のように見えることから、バンクと呼ばれる。また、絶縁膜（バンク）BNKを貫通して陽極ＡＤの上面に至る上記開口の内部には、有機材料が蒸着されて発光層ＯＬＥが形成される。従って、この絶縁膜BNKの開口は、図１、図８、及び図９に示された発光部開口LARである。
【００３３】
一方、絶縁膜BNKの開口に蒸着される有機材料は、図１に示された蒸着領域VARに対応して、絶縁膜BNKの開口及びその周囲に発光層ＯＬＥを形成する。有機材料膜は、これが蒸着される絶縁膜BNKの開口に隣接する他の開口内に延在しない限りにおいて、当該開口の外側（絶縁膜BNKの上面）に延びてもよい。
【００３４】
この発光層ＯＬＥには、発光現象が起きる層のみならず、この層に積層される他の材料層（有機材料層）が含まれてもよい。発光層ＯＬＥに含まれる発光現象が起きる層以外の層、この層に積層される他の材料層としては、陽極ＡＤと発光現象が起きる層との間に挟まれる正孔輸送層並びに正孔注入層、及び陰極CDと発光現象が起きる層との間に挟まれる電子輸送層並びに電子注入層がある。発光層ＯＬＥは、これら４層の少なくとも一つを含んでも、これら４層の全てを陽極ＡＤから正孔輸送層、正孔注入層、（発光現象が起きる層）、電子注入層、電子輸送層の順に積層して含んでも、これら４層のいずれも含まなくてもよい（この選択は、表示装置の用途、有機材料の種類に依存する）。
【００３５】
ボトムエミッション型と称するこの有機ＥＬ表示装置は、発光層からの発光光Ｌがガラス基板ＳＵＢ１の表面から外部に矢印で示したように出射される。したがって、陰極ＣＤは光反射能を有するものとされる。ガラス基板ＳＵＢ１の主面側には、封止缶ＳＵＢ２（封止ガラス基板）が貼り合わされ、図示しない周辺部を周回するシール内部を真空状態に封止される。
【００３６】
図１２は有機ＥＬ表示装置の全体構成例を説明する等価回路図である。図１１で説明した構成を有する有機ＥＬの画素回路からなる画素ＰＸを表示領域ＡＲにマトリクス状に配置して２次元の表示装置を構成している。各画素ＰＸは第１の薄膜トランジスタＴＦＴ１と第２の薄膜トランジスタＴＦＴ２およびコンデンサＣｓ並びに有機ＥＬ素子ＯＬＥＤで構成される。有機ＥＬ素子ＯＬＥＤは図１１に示した陽極ＡＤと有機発光層ＯＬＥおよび陰極ＣＤで構成される。表示領域ＡＲ内には、各画素に駆動信号を供給するためのドレイン線ＤＬとゲート線ＧＬとが交差配置されている。ガラス基板ＳＵＢ１の一部は封止缶ＳＵＢ２を構成するガラス基板よりサイズが大きく、封止缶ＳＵＢ２からはみ出している。このはみ出し部分にドレインドライバＤＤＲが搭載され、ドレイン線ＤＬに表示信号を供給する。
【００３７】
一方、ゲートドライバＧＤＲは、封止缶ＳＵＢ２で覆われるガラス基板ＳＵＢ１上に、所謂システム・オン・グラスと称する形態で直接形成されている。このゲートドライバＧＤＲにゲート線ＧＬが接続されている。なお、表示領域ＡＲには電源線ＣＬが配置されている。この電源線ＣＬは電源線バス線ＣＢを介して図示しない端子で外部電源に接続している。なお、システム・オン・グラスに限らず、半導体チップを搭載することもできる。
【００３８】
ゲート線ＧＬは画素ＰＸを構成する第１の薄膜トランジスタＴＦＴ１のソース・ドレイン電極の一方（ここでは、ドレイン電極）に接続し、ドレイン線ＤＬはソース・ドレイン電極の一方（ここではソース電極）に接続している。この第１の薄膜トランジスタＴＦＴ１は、画素ＰＸに表示信号を取り込むためのスイッチであり、ゲート線ＧＬで選択されてオンとなったときドレイン線ＤＬから供給される表示信号に応じた電荷を容量Ｃｓに蓄積する。第２の薄膜トランジスタＴＦＴ２は、第１の薄膜トランジスタＴＦＴ１がオフした時点でオンとなり、容量Ｃｓに蓄積された表示信号の大きさに応じた電流を電源線ＣＬから有機ＥＬ素子ＯＬＥＤに供給する。有機ＥＬ素子ＯＬＥＤは供給された電流量に応じて発光する。
【産業上の利用可能性】
【００３９】
本発明は、有機ＥＬ表示装置全般に適用できるが、特に、テレビ受像用等の大画面の有機ＥＬ表示装置に適用することで、その発光層を蒸着する開口と蒸着領域との位置ずれを抑制し、高い製造歩留まりを達成することができる。
【図面の簡単な説明】
【００４０】
【図１】有機ＥＬのガラス基板に有する発光部（画素）の開口と有機ＥＬの発光材料の蒸着領域との位置関係を説明する図である。
【図２】ガラス基板と蒸着マスクとが正しく位置づけられた状態を示す平面図である。
【図３】ガラス基板と蒸着マスクとの位置がＸ方向にずれた状態を示す平面図である。
【図４】ガラス基板と蒸着マスクとの位置がＹ方向にずれた状態を示す平面図である。
【図５】ガラス基板と蒸着マスクとの位置がＸ方向とＹ方向とにずれた状態を示す平面図である。
【図６】ガラス基板と蒸着マスクとの位置がθ方向にずれた状態を示す平面図である。
【図７】ガラス基板と蒸着マスクとの実際の位置ずれをより詳しく説明するための平面図である。
【図８】有機ＥＬ表示装置における発光部（画素）と駆動用電源線の設計例を説明する模式平面図である。
【図９】本発明の実施例１を説明する発光部開口の模式平面図である。
【図１０】本発明の実施例１を説明する信号線の模式平面図である。
【図１１】本発明を適用したボトムエミッション型有機ＥＬ表示装置の１つの有機ＥＬ素子すなわち１画素付近の構成例を説明する断面図である。
【図１２】本発明によるアクティブ・マトリクス型の有機ＥＬ表示装置の全体構成例を説明する等価回路図である。
【符号の説明】
【００４１】
ＬＡＲ・・・・発光部開口、ＶＡＲ・・・・蒸着領域、Ｘ−Ｘ’・・・・ガラス基板の面内における第１の方向、Ｙ−Ｙ’・・・・ガラス基板の面内における第２の方向、Ｅｒ−Ｘ・・・・Ｘ方向の位置ずれ、Ｅｒ−Ｙ・・・・Ｙ方向の位置ずれ。
【図１】
2005302388.tif 000004
【図２】
2005302388.tif 000005
【図３】
2005302388.tif 000006
【図４】
2005302388.tif 000007
【図５】
2005302388.tif 000008
【図６】
2005302388.tif 000009
【図７】
2005302388.tif 000010
【図８】
2005302388.tif 000011
【図９】
2005302388.tif 000012
【図１０】
2005302388.tif 000013
【図１１】
2005302388.tif 000014
【図１２】
2005302388.tif 000015